(57)【要約】本発明は、データ伝送方法および装置に関し、上記方法は、第１のモバイルデバイスが、認証データを第２のモバイルデバイスに音波を介して送信し、その第２のモバイルデバイスが認証に成功した後、データを第２のモバイルデバイスに音波を介して送信することを含む。それによって、第１のモバイルデバイスと第２のモバイルデバイスにおいて、マイクロフォンやスピーカなどの音生成装置を介した、消費電力が小さく、モバイルデバイスの音声通話関連のアンテナに対して干渉しない、第１のモバイルデバイスと第２のモバイルデバイスの間のデータ伝送が実現される。【選択図】図１
2018533230.tif 000002
【特許請求の範囲】
【請求項１】
データ伝送方法であって、
第１のモバイルデバイスによって、送信すべき認証データを取得すること、
前記第１のモバイルデバイスによって、前記認証データに対してプロトコルカプセル化、符号化および変調を実行すること、それによって、変調された認証データを取得し、
前記第１のモバイルデバイスによって、前記変調された認証データを音波に乗せ、事前定義された範囲内にある第２のモバイルデバイスに前記音波を送信すること、それによって、前記第２のモバイルデバイスは、前記変調された認証データに対する復調、復号化およびプロトコル処理の実行に成功した後、認証成功メッセージを前記第１のモバイルデバイスに返し、
前記第１のモバイルデバイスによって、前記第２のモバイルデバイスから返された前記認証成功メッセージを受信すること、および、
前記第１のモバイルデバイスによって、送信すべきデータを取得し、前記送信すべきデータに対してプロトコルカプセル化、符号化および変調を実行し、それによって、送信すべき変調データを取得し、前記送信すべき変調データを音波に乗せ、認証に成功した前記第２のモバイルデバイスに前記音波を送信すること、
を含む方法。
【請求項２】
前記認証成功メッセージが、前記音波の受信パワーを担持し、
前記第１のモバイルデバイスが送信すべきデータを取得し、前記送信すべきデータに対してプロトコルカプセル化、符号化および変調を実行し、それによって、送信すべき変調データを取得し、前記送信すべき変調データを前記音波に乗せ、認証に成功した前記第２のモバイルデバイスに前記音波を送信する前に、さらに、前記方法が、
前記第１のモバイルデバイスによって、前記音波の送信パワーを取得すること、
前記第１のモバイルデバイスによって、前記音波の前記受信パワーと前記送信パワーに従って前記第１のモバイルデバイスと前記第２のモバイルデバイスの間の距離を決定すること、および、
前記第１のモバイルデバイスによって、前記距離に応じて前記音波の前記送信パワーを調整すること、
を含む請求項１に記載の方法。
【請求項３】
前記認証成功メッセージが、前記第２のモバイルデバイスの位置情報を担持し、
前記第１のモバイルデバイスが送信すべきデータを取得し、前記送信すべきデータに対してプロトコルカプセル化、符号化および変調を実行し、それによって、送信すべき変調データを取得し、前記送信すべき変調データを前記音波に乗せ、認証に成功した前記第２のモバイルデバイスに前記音波を送信する前に、さらに、前記方法が、
前記第１のモバイルデバイスによって、それ自体の位置情報を取得すること、
前記第１のモバイルデバイスによって、前記それ自体の位置情報および前記第２のモバイルデバイスの前記位置情報に従って、前記第１のモバイルデバイスと前記第２のモバイルデバイスの間の距離と、前記第１のモバイルデバイスに対する前記第２のモバイルデバイスの方向を決定すること、および、
前記第１のモバイルデバイスによって、前記距離および前記方向に応じて、前記音波の前記送信パワーおよび送信方向を調整すること、
を含む請求項１に記載の方法。
【請求項４】
前記第１のモバイルデバイスが、前記変調された認証データを前記音波に乗せ、事前定義された範囲内にある第２のモバイルデバイスに前記音波を送信する前に、さらに、前記方法が、
前記第１のモバイルデバイスによって、事前定義されたパスワードに従って、前記変調された認証データを暗号化することを含む、
請求項１に記載の方法。
【請求項５】
前記音波が、周波数が２５ｋＨｚ以上の超音波である、
請求項１に記載の方法。
【請求項６】
データ伝送装置であって、
送信すべき認証データを取得するように構成された取得モジュールと、
前記認証データに対してプロトコルカプセル化、符号化および変調を実行するように構成された変調モジュールと、それによって、変調された認証データを取得し、
前記変調された認証データを音波に乗せ、事前定義された範囲内にある第２のモバイルデバイスに前記音波を送信するように構成された送信モジュールと、それによって、前記第２のモバイルデバイスは、前記変調された認証データに対する復調、復号化およびプロトコル処理の実行に成功した後、認証成功メッセージを第１のモバイルデバイスに返し、
前記第２のモバイルデバイスから返された前記認証成功メッセージを受信するように構成された、受信モジュールと、を備え、
前記取得モジュールがさらに、送信すべきデータを取得するように構成され、
前記変調モジュールがさらに、前記送信すべきデータに対してプロトコルカプセル化、符号化および変調を実行するように構成され、それによって、送信すべき変調データを取得し、
前記送信モジュールがさらに、前記送信すべき変調データを音波に乗せ、認証に成功した前記第２のモバイルデバイスに前記音波を送信するように構成される、
装置。
【請求項７】
前記認証成功メッセージが、前記音波の受信パワーを担持し、
前記装置がさらに、第１の決定モジュールおよび第１の調整モジュールを備え、前記取得モジュールがさらに、前記送信モジュールが前記送信すべき変調データを前記音波に乗せ、認証に成功した前記第２のモバイルデバイスに前記音波を送信する前に、前記音波の送信パワーを取得するように構成され、
前記第１の決定モジュールが、前記音波の前記受信パワーと前記送信パワーに従って前記第１のモバイルデバイスと前記第２のモバイルデバイスの間の距離を決定するように構成され、
前記第１の調整モジュールが、前記距離に応じて前記音波の前記送信パワーを調整するように構成される、
請求項６に記載の装置。
【請求項８】
前記認証成功メッセージが、前記第２のモバイルデバイスの位置情報を担持し、
前記装置がさらに、第２の決定モジュールおよび第２の調整モジュールを備え、
前記取得モジュールがさらに、前記送信モジュールが前記送信すべき変調データを前記音波に乗せ、認証に成功した前記第２のモバイルデバイスに前記音波を送信する前に、前記第１のモバイルデバイスの位置情報を取得するように構成され、
前記第２の決定モジュールが、前記第１のモバイルデバイスの前記位置情報および前記第２のモバイルデバイスの前記位置情報に従って、前記第１のモバイルデバイスと前記第２のモバイルデバイスの間の距離と、前記第１のモバイルデバイスに対する前記第２のモバイルデバイスの方向を決定するように構成され、
前記第２の調整モジュールが、前記距離および前記方向に応じて、前記音波の前記送信パワーおよび送信方向を調整するように構成される、
請求項６に記載の装置。
【請求項９】
暗号化モジュールをさらに備え、
前記暗号化モジュールが、前記送信モジュールが前記変調された認証データを前記音波に乗せ、事前定義された範囲内にある前記第２のモバイルデバイスに前記音波を送信する前に、事前定義されたパスワードに従って、前記変調された認証データを暗号化するように構成される、
請求項１に記載の装置。
【請求項１０】
前記音波が、周波数が２５ｋＨｚ以上の超音波である、
請求項１に記載の装置。
【発明の詳細な説明】
【技術分野】
【０００１】
本発明は、通信技術の分野に関し、詳細には、データ伝送方法および装置に関する。
【背景技術】
【０００２】
現在、モバイルデバイスでは、互いの間でデータ伝送する場合、互いの探索、発見およびペアリングを可能にするために、Ｂｌｕｅｔｏｏｔｈ（登録商標）、ＮＦＣ、Ｗｉ  Ｆｉ（登録商標）などをまずオンにする必要がある。モバイルデバイス間のデータ伝送は、ペアリングが成功して初めて行われうる。
【０００３】
しかしながら従来技術では、Ｂｌｕｅｔｏｏｔｈ（登録商標）、ＮＦＣ、Ｗｉ  Ｆｉなどの機能を実装し、アンテナを介して伝送される無線信号によるモバイルデバイスの探索、発見、ペアリングを実現するには、モバイルデバイスに専用のアンテナを装備する必要がある。このような構成では、消費電力が大きくなり、モバイルデバイスの音声通話関連のアンテナに対して干渉が生じる可能性がある。
【発明の概要】
【発明が解決しようとする課題】
【０００４】
本発明は、モバイルデバイス間のデータ伝送時に消費電力が大きく、モバイルデバイスの音声通話関連のアンテナが干渉を受けやすいという従来技術の問題に対処するための、データ伝送方法および装置を提供する。
【課題を解決するための手段】
【０００５】
本発明の第１の態様は、データ伝送方法を提供し、この方法は、
第１のモバイルデバイスによって、送信すべき認証データを取得すること、
上記第１のモバイルデバイスによって、上記認証データに対してプロトコルカプセル化、符号化および変調を実行すること、それによって、変調された認証データを取得し、
上記第１のモバイルデバイスによって、上記変調された認証データを音波に乗せ、事前定義された範囲内にある第２のモバイルデバイスに上記音波を送信すること、それによって、上記第２のモバイルデバイスは、上記変調された認証データに対する復調、復号化およびプロトコル処理の実行に成功した後、認証成功メッセージを上記第１のモバイルデバイスに返し、
上記第１のモバイルデバイスによって、上記第２のモバイルデバイスから返された上記認証成功メッセージを受信すること、および、
上記第１のモバイルデバイスによって、送信すべきデータを取得し、上記送信すべきデータに対してプロトコルカプセル化、符号化および変調を実行し、それによって、送信すべき変調データを取得し、上記送信すべき変調データを音波に乗せ、認証に成功した上記第２のモバイルデバイスに上記音波を送信すること、を含む。
【０００６】
さらには、上記認証成功メッセージが、上記音波の受信パワーを担持する。
【０００７】
また、上記方法がさらに、上記第１のモバイルデバイスが送信すべきデータを取得し、上記送信すべきデータに対してプロトコルカプセル化、符号化および変調を実行し、それによって、送信すべき変調データを取得し、上記送信すべき変調データを上記音波に乗せ、認証に成功した上記第２のモバイルデバイスに上記音波を送信する前に、
上記第１のモバイルデバイスによって、上記音波の送信パワーを取得すること、
上記第１のモバイルデバイスによって、上記音波の上記受信パワーと上記送信パワーに従って上記第１のモバイルデバイスと上記第２のモバイルデバイスの間の距離を決定すること、および、
上記第１のモバイルデバイスによって、上記距離に応じて上記音波の上記送信パワーを調整すること、を含む。
【０００８】
さらには、上記認証成功メッセージが、
上記第２のモバイルデバイスの位置情報を担持する。
【０００９】
また、上記方法がさらに、上記第１のモバイルデバイスが送信すべきデータを取得し、上記送信すべきデータに対してプロトコルカプセル化、符号化および変調を実行し、それによって、送信すべき変調データを取得し、上記送信すべき変調データを上記音波に乗せ、認証に成功した上記第２のモバイルデバイスに上記音波を送信する前に、
上記第１のモバイルデバイスによって、それ自体の位置情報を取得すること、
上記第１のモバイルデバイスによって、上記第１のモバイルデバイスの位置情報および上記第２のモバイルデバイスの上記位置情報に従って、上記第１のモバイルデバイスと上記第２のモバイルデバイスの間の距離と、上記第１のモバイルデバイスに対する上記第２のモバイルデバイスの方向を決定すること、および、
上記第１のモバイルデバイスによって、上記距離および上記方向に応じて、上記音波の上記送信パワーおよび送信方向を調整すること、を含む。
【００１０】
さらには、上記方法がさらに、上記第１のモバイルデバイスが上記変調された認証データを上記音波に乗せ、上記事前定義された範囲内にある上記第２のモバイルデバイスに上記音波を送信する前に、
上記第１のモバイルデバイスによって、事前定義されたパスワードに従って、上記変調された認証データを暗号化することを含む。
【００１１】
さらには、上記音波が、周波数が２５ｋＨｚ以上の超音波である。
【００１２】
本発明の他の態様は、データ伝送装置を提供し、この装置は、
送信すべき認証データを取得するように構成された取得モジュールと、
上記認証データに対してプロトコルカプセル化、符号化および変調を実行するように構成された変調モジュールと、それによって、変調された認証データを取得し、
上記変調された認証データを音波に乗せ、事前定義された範囲内にある第２のモバイルデバイスに上記音波を送信するように構成された送信モジュールと、それによって、上記第２のモバイルデバイスは、上記変調された認証データに対する復調、復号化およびプロトコル処理の実行に成功した後、認証成功メッセージを第１のモバイルデバイスに返し、
上記第２のモバイルデバイスから返された上記認証成功メッセージを受信するように構成された、受信モジュールと、を備え、
上記取得モジュールがさらに、送信すべきデータを取得するように構成され、
上記変調モジュールがさらに、上記送信すべきデータに対してプロトコルカプセル化、符号化および変調を実行するように構成され、それによって、送信すべき変調データを取得し、
上記送信モジュールがさらに、上記送信すべき変調データを音波に乗せ、認証に成功した上記第２のモバイルデバイスに上記音波を送信するように構成される。
【００１３】
さらには、上記認証成功メッセージが、上記音波の受信パワーを担持し、
上記装置がさらに、第１の決定モジュールおよび第１の調整モジュールを備え、
上記取得モジュールがさらに、上記送信モジュールが上記送信すべき変調データを上記音波に乗せ、認証に成功した上記第２のモバイルデバイスに上記音波を送信する前に、上記音波の送信パワーを取得するように構成され、
上記第１の決定モジュールが、上記音波の上記受信パワーと上記送信パワーに従って上記第１のモバイルデバイスと上記第２のモバイルデバイスの間の距離を決定するように構成され、
上記第１の調整モジュールが、上記距離に応じて上記音波の上記送信パワーを調整するように構成される。
【００１４】
さらには、上記認証成功メッセージが、上記第２のモバイルデバイスの位置情報を担持し、
上記装置がさらに、第２の決定モジュールおよび第２の調整モジュールを備え、
上記取得モジュールがさらに、上記送信モジュールが上記送信すべき変調データを上記音波に乗せ、認証に成功した上記第２のモバイルデバイスに上記音波を送信する前に、上記第１のモバイルデバイスの位置情報を取得するように構成され、
上記第２の決定モジュールが、上記第１のモバイルデバイスの上記位置情報および上記第２のモバイルデバイスの上記位置情報に従って、上記第１のモバイルデバイスと上記第２のモバイルデバイスの間の距離と、上記第１のモバイルデバイスに対する上記第２のモバイルデバイスの方向を決定するように構成され、
上記第２の調整モジュールが、上記距離および上記方向に応じて、上記音波の上記送信パワーおよび送信方向を調整するように構成される。
【００１５】
さらには、上記装置が暗号化モジュールをさらに備え、
上記暗号化モジュールが、上記送信モジュールが上記変調された認証データを上記音波に乗せ、事前定義された範囲内にある上記第２のモバイルデバイスに上記音波を送信する前に、事前定義されたパスワードに従って、上記変調された認証データを暗号化するように構成される。
【００１６】
さらには、上記音波が、周波数が２５ｋＨｚ以上の超音波である。
【発明の効果】
【００１７】
本発明では、第１のモバイルデバイスが、認証データを第２のモバイルデバイスに音波を介して送信し、その第２のモバイルデバイスが認証に成功した後、データを第２のモバイルデバイスに音波を介して送信する。それによって、第１のモバイルデバイスと第２のモバイルデバイスにおいて、マイクロフォンやスピーカなどの音生成装置を介した、消費電力が小さく、モバイルデバイスの音声通話関連のアンテナに対して干渉しない、第１のモバイルデバイスと第２のモバイルデバイスの間のデータ伝送が実現される。
【図面の簡単な説明】
【００１８】
【図１】本発明で提供されるデータ伝送方法の一実施形態のフローチャートである。
【図２】本発明で提供されるデータ伝送装置の一実施形態の構成概略図である。
【図３】本発明で提供されるデータ伝送装置の他の実施形態の構成概略図である。
【図４】本発明で提供されるデータ伝送装置の他の実施形態の構成概略図である。
【発明を実施するための形態】
【００１９】
本発明の実施形態の目的、技術的解決策および利点をより明確にするために、本発明の実施形態の技術的解決策を、その本発明の実施形態の添付図面を参照して以下に明確かつ完全に説明する。この説明する実施形態は明らかに、本発明の実施形態の全てではなく、その一部である。この本発明の実施形態に基づいて当業者によって発明性のある労力なしに得られる他の実施形態は全て、本発明の保護範囲に含まれる。
【００２０】
図１は、本発明で提供されるデータ伝送方法の一実施形態のフローチャートである。図１に示されているように、この方法は、具体的には以下のステップを含む。
【００２１】
１０１：第１のモバイルデバイスが、送信すべき認証データを取得する。
【００２２】
本発明で提供されるデータ伝送方法を実行するのは主に、データ伝送装置、詳細には、データを伝送する必要がある２つ以上のモバイルデバイスのうちのいずれか１つでありうる装置、あるいは、そういったモバイルデバイスにインストールされたソフトウェアまたはアプリケーションである。
【００２３】
１０２：第１のモバイルデバイスが、上記認証データに対してプロトコルカプセル化、符号化および変調を実行し、それによって、変調された認証データを取得する。
【００２４】
１０３：第１のモバイルデバイスが、上記変調された認証データを音波に乗せ、事前定義された範囲内にある第２のモバイルデバイスにその音波を送信し、それによって、第２のモバイルデバイスは、上記変調された認証データに対する復調、復号化およびプロトコル処理に成功した後、認証成功メッセージを第１のモバイルデバイスに返す。
【００２５】
第１のモバイルデバイスによって送信される音波は、第２のモバイルデバイスが位置する位置に確実に達するように、周波数が２５ｋＨｚ以上の超音波でありうる。
【００２６】
具体的には、第１のモバイルデバイスおよび第２のモバイルデバイスがデータを伝送する必要がある場合、第１のモバイルデバイスは、関連するキーをひと押しすることによって、データを乗せた音波を送受信可能なように第１のモバイルデバイスの音波送受信機能を開始できる。例えばこの第１のデバイスは、認証データを乗せた音波を送信可能である。第２のモバイルデバイスもやはり、関連するキーをひと押しすることによって、第２のモバイルデバイスの音波送受信機能を開始できる。
【００２７】
第１のモバイルデバイスと第２のモバイルデバイスとの間の任意選択の認証機構は、以下のとおりにしうる。つまり、送信すべき認証データが、第１のモバイルデバイスの識別情報を担持しうる。第１のモバイルデバイスが、変調された認証データを音波に乗せ、事前定義された範囲内にある第２のモバイルデバイスにその音波を送信し、次に、第２のモバイルデバイスが、上記変調された認証データに対して復調、復号化およびプロトコル処理を実行した後、第１のモバイルデバイスの識別情報を取得した場合、第２のモバイルデバイスは認証に成功し、第２のモバイルデバイスの識別情報を担持する認証成功メッセージを第１のモバイルデバイスに返す。そうでない場合、第２のモバイルデバイスが、変調された認証データに対する復調、復号化およびプロトコル処理の後、ランダムなコードまたは無関係なデータしか取得しなかったなら、第２のモバイルデバイスは認証に失敗し、認証成功メッセージを返さない。
【００２８】
尚、送信すべきデータは、事前に取り決められた値や画像などの他のデータも担持しうる。本明細書ではこのことについて限定していない。送信すべき認証データによって担持されるデータは、特定の状況に応じて構成されうる。
【００２９】
さらに、データ伝送のセキュリティを向上させるために、第１のモバイルデバイスは、事前定義されたパスワードに従って、変調された認証データを暗号化しうる。それに応じて、第２のモバイルデバイスは、変調された認証データを受信した後、まず、変調された認証データを復暗号化し、復暗号化が成功した場合にのみ復調、復号化およびプロトコル処理に進みうる。復暗号化が失敗した場合は、認証も失敗する。
【００３０】
１０４：第１のモバイルデバイスが、第２のモバイルデバイスから返された上記認証成功メッセージを受信する。
【００３１】
１０５：第１のモバイルデバイスが、送信すべきデータを取得し、その送信すべきデータに対してプロトコルカプセル化、符号化および変調を実行し、それによって、送信すべき変調データを取得し、その送信すべき変調データを音波に乗せ、認証に成功した第２のモバイルデバイスにその音波を送信する。
【００３２】
任意選択で、消費電力を低減しエネルギーを節約するために、第１の実装シナリオでは、上記認証成功メッセージが、音波の受信パワーを担持する。
【００３３】
したがって、ステップ１０５の前に、上記方法はさらに、第１のモバイルデバイスが音波の送信パワーを取得すること、第１のモバイルデバイスが上記音波の受信パワーと上記送信パワーに従って第１のモバイルデバイスと第２のモバイルデバイスの間の距離を決定すること、および、第１のモバイルデバイスが上記距離に応じて音波の送信パワーを調整すること、を含みうる。
【００３４】
この実施形態では、第２のモバイルデバイスと第１のモバイルデバイスの間の距離が小さい場合、第２のモバイルデバイスが音波を受信し、第１のモバイルデバイスからより遠い他のモバイルデバイスは受信しないように、第１のモバイルデバイスが音波の減衰を調整しうる。それによって、第２のモバイルデバイスの音波受信を確保しながら、エネルギーが節約され、それに加えて、第１のモバイルデバイスからより遠い他のモバイルデバイスがその音波にフィードバックする、またはその音波をエコーするときに生じうる第１のモバイルデバイスに対する干渉が回避されうる。
【００３５】
任意選択で、消費電力を低減しエネルギーを節約するために、第２の実装シナリオでは、上記認証成功メッセージが、第２のモバイルデバイスの位置情報を担持する。
【００３６】
したがって、ステップ１０５の前に、上記方法はさらに、第１のモバイルデバイスがそれ自体の位置情報を取得すること、第１のモバイルデバイスが、上記それ自体の位置情報および上記第２のモバイルデバイスの位置情報に従って、第１のモバイルデバイスと第２のモバイルデバイスの間の距離と、第１のモバイルデバイスに対する第２のモバイルデバイスの方向を決定すること、および、第１のモバイルデバイスが上記距離および方向に応じて音波の送信パワーおよび放出方向を調整すること、を含みうる。
【００３７】
この実施形態では、他の位置にある他のモバイルデバイスは音波を受信せず、または非常に弱い音波しか受信せず、第２のモバイルデバイスだけがその位置で音波を受信するように、第１のモバイルデバイスが音波の減衰および方向を調整しうる。それによって、第２のモバイルデバイスの音波受信を確保しながら、エネルギーが節約され、第１のモバイルデバイスからより遠い他のモバイルデバイスがその音波にフィードバックする、またはその音波をエコーするときの第１のモバイルデバイスに対する干渉が回避されうる。
【００３８】
この実施形態では、第１のモバイルデバイスは、認証データを第２のモバイルデバイスに音波を介して送信し、その第２のモバイルデバイスが認証に成功した後、データを第２のモバイルデバイスに音波を介して送信する。それによって、第１のモバイルデバイスと第２のモバイルデバイスでは、マイクロフォンやスピーカなどの音生成装置を介した、消費電力が小さく、モバイルデバイスの音声通話関連のアンテナに対して干渉しない、第１のモバイルデバイスと第２のモバイルデバイスの間のデータ伝送が実現される。
【００３９】
当業者なら、前述の方法の実施形態のステップの全部または一部が、関連するハードウェアに指示するプログラムによって実装されうることが理解可能である。このプログラムは、コンピュータ読み取り可能な記憶媒体に格納されうる。このプログラムが実行されると、前述の実施形態の方法のステップが実行される。上記記憶媒体は、ＲＯＭやＲＡＭ、磁気ディスク、光ディスクなどのプログラムコードを格納可能な各種媒体を含む。
【００４０】
図２は、本発明で提供されるデータ伝送装置の一実施形態の構成概略図である。図２に示されているように、この装置は、取得モジュール２１、変調モジュール２２、送信モジュール２３、および受信モジュール２４を含み、
上記取得モジュール２１は、送信すべき認証データを取得するように構成され、
上記変調モジュール２２は、上記認証データに対してプロトコルカプセル化、符号化および変調を実行するように構成され、それによって、変調された認証データを取得し、
上記送信モジュール２３は、上記変調された認証データを音波に乗せ、事前定義された範囲内にある第２のモバイルデバイスに上記音波を送信するように構成され、それによって、上記第２のモバイルデバイスは、上記変調された認証データに対する復調、復号化およびプロトコル処理の実行に成功した後、認証成功メッセージを第１のモバイルデバイスに返す。
【００４１】
第１のモバイルデバイスから送信される音波は、第２のモバイルデバイスにその位置で確実に達するように、音波は、周波数が２５ｋＨｚ以上の超音波でありうる。
【００４２】
受信モジュール２４は、第２のモバイルデバイスから返される上記認証成功メッセージを受信するように構成される。
【００４３】
取得モジュール２１はさらに、送信すべきデータを取得するように構成される。
【００４４】
変調モジュール２２はさらに、上記送信すべきデータに対してプロトコルカプセル化、符号化および変調を実行するように構成され、それによって、送信すべき変調データを取得する。
【００４５】
送信モジュール２３はさらに、上記送信すべき変調データを音波に乗せ、認証に成功した第２のモバイルデバイスにその音波を送信するように構成される。
【００４６】
さらに、図３は、本発明で提供されるデータ伝送装置の他の実施形態の構成概略図である。図３に示されているように、データ伝送のセキュリティを向上させるために、上記装置はさらに、暗号化モジュール２５を含みうる。
上記暗号化モジュール２５は、上記送信モジュール２３が上記変調された認証データを上記音波に乗せ、事前定義された範囲内にある上記第２のモバイルデバイスに上記音波を送信する前に、事前定義されたパスワードに従って、上記変調された認証データを暗号化するように構成される。それに応じて、第２のモバイルデバイスは、変調された認証データを受信した後、まず、変調された認証データを復暗号化し、復暗号化が成功した場合にのみ復調、復号化およびプロトコル処理に進みうる。復暗号化が失敗した場合は、認証も失敗する。
【００４７】
任意選択で、消費電力を低減しエネルギーを節約するために、第１の実装シナリオでは、上記認証成功メッセージが、音波の受信パワーを担持する。
【００４８】
したがって、上記装置はさらに、第１の決定モジュール２６および第１の調整モジュール２７を備え、
上記取得モジュール２１はさらに、上記送信モジュール２３が上記送信すべき変調データを上記音波に乗せ、認証に成功した上記第２のモバイルデバイスに上記音波を送信する前に、上記音波の送信パワーを取得するように構成され、
上記第１の決定モジュール２６は、上記音波の上記受信パワーと上記送信パワーに従って上記第１のモバイルデバイスと上記第２のモバイルデバイスの間の距離を決定するように構成され、
上記第１の調整モジュール２７は、上記距離に応じて上記音波の上記送信パワーを調整するように構成される。
【００４９】
任意選択で、消費電力を低減しエネルギーを節約するために、第２の実装シナリオでは、上記認証成功メッセージが、第２のモバイルデバイスの位置情報を担持する。
【００５０】
したがって、上記装置はさらに、図４に示されている第２の決定モジュール２８および第２の調整モジュール２９を含みうる。図４は、本発明で提供されるデータ伝送装置の他の実施形態の構成概略図である。
【００５１】
上記取得モジュール２１はさらに、上記送信モジュール２３が上記送信すべき変調データを上記音波に乗せ、認証に成功した上記第２のモバイルデバイスに上記音波を送信する前に、上記取得モジュール自体の位置情報を取得するように構成される。
【００５２】
上記第２の決定モジュール２８は、上記第１のモバイルデバイスの上記位置情報および上記第２のモバイルデバイスの上記位置情報に従って、上記第１のモバイルデバイスと上記第２のモバイルデバイスの間の距離と、上記第１のモバイルデバイスに対する上記第２のモバイルデバイスの方向を決定するように構成される。
【００５３】
上記第２の調整モジュール２９は、上記距離および上記方向に応じて、上記音波の上記送信パワーおよび送信方向を調整するように構成される。
【００５４】
この実施形態では、第１のモバイルデバイスが、認証データを第２のモバイルデバイスに音波を介して送信し、その第２のモバイルデバイスが認証に成功した後、データを第２のモバイルデバイスに音波を介して送信する。それによって、第１のモバイルデバイスと第２のモバイルデバイスとで、マイクロフォンやスピーカなどの音生成装置を介した、消費電力が小さく、モバイルデバイスの音声通話関連のアンテナに対して干渉しない、第１のモバイルデバイスと第２のモバイルデバイスの間のデータ伝送が実現される。
【００５５】
尚、前述の実施形態は、本発明の技術的解決策を限定するのではなく、単に説明することを意図している。本発明について、前述の実施形態を参照して詳細に説明したが、当業者なら、前述の実施形態に記載された技術的解決策に変更を加えることが可能であること、またはその中のいくつかまたは全ての技術的特徴に等価な置き換えを行うことが可能であることを理解されたい。ただし、こういった修正または置き換えによって、それに対応する技術的解決策の本質が、本発明の実施形態における技術的解決策の範囲から逸脱することはない。
【符号の説明】
【００５６】
２１  取得モジュール
２２  変調モジュール
２３  送信モジュール
２４  受信モジュール
２５  暗号化モジュール
２６  第１の決定モジュール
２７  第１の調整モジュール
２８  第２の決定モジュール
２９  第２の調整モジュール
【図１】
2018533230.tif 000003
【図２】
2018533230.tif 000004
【図３】
2018533230.tif 000005
【図４】
2018533230.tif 000006
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
データ伝送方法であって、
第１のモバイルデバイスによって、送信すべき認証データを取得すること、
前記第１のモバイルデバイスによって、前記認証データに対してプロトコルカプセル化、符号化および変調を実行すること、それによって、変調された認証データを取得し、
前記第１のモバイルデバイスによって、前記変調された認証データを音波に乗せ、事前定義された範囲内にある第２のモバイルデバイスに前記音波を送信すること、それによって、前記第２のモバイルデバイスは、前記変調された認証データに対する復調、復号化およびプロトコル処理の実行に成功した後、認証成功メッセージを前記第１のモバイルデバイスに返し、
前記第１のモバイルデバイスによって、前記第２のモバイルデバイスから返された前記認証成功メッセージを受信すること、および、
前記第１のモバイルデバイスによって、送信すべきデータを取得し、前記送信すべきデータに対してプロトコルカプセル化、符号化および変調を実行し、それによって、送信すべき変調データを取得し、前記送信すべき変調データを音波に乗せ、認証に成功した前記第２のモバイルデバイスに前記音波を送信すること、
を含む方法。
【請求項２】
前記認証成功メッセージが、前記音波の受信パワーを担持し、
前記第１のモバイルデバイスが送信すべきデータを取得し、前記送信すべきデータに対してプロトコルカプセル化、符号化および変調を実行し、それによって、送信すべき変調データを取得し、前記送信すべき変調データを前記音波に乗せ、認証に成功した前記第２のモバイルデバイスに前記音波を送信する前に、さらに、前記方法が、
前記第１のモバイルデバイスによって、前記音波の送信パワーを取得すること、
前記第１のモバイルデバイスによって、前記音波の前記受信パワーと前記送信パワーに従って前記第１のモバイルデバイスと前記第２のモバイルデバイスの間の距離を決定すること、および、
前記第１のモバイルデバイスによって、前記距離に応じて前記音波の前記送信パワーを調整すること、
を含む請求項１に記載の方法。
【請求項３】
前記認証成功メッセージが、前記第２のモバイルデバイスの位置情報を担持し、
前記第１のモバイルデバイスが送信すべきデータを取得し、前記送信すべきデータに対してプロトコルカプセル化、符号化および変調を実行し、それによって、送信すべき変調データを取得し、前記送信すべき変調データを前記音波に乗せ、認証に成功した前記第２のモバイルデバイスに前記音波を送信する前に、さらに、前記方法が、
前記第１のモバイルデバイスによって、それ自体の位置情報を取得すること、
前記第１のモバイルデバイスによって、前記それ自体の位置情報および前記第２のモバイルデバイスの前記位置情報に従って、前記第１のモバイルデバイスと前記第２のモバイルデバイスの間の距離と、前記第１のモバイルデバイスに対する前記第２のモバイルデバイスの方向を決定すること、および、
前記第１のモバイルデバイスによって、前記距離および前記方向に応じて、前記音波の送信パワーおよび送信方向を調整すること、
を含む請求項１に記載の方法。
【請求項４】
前記第１のモバイルデバイスが、前記変調された認証データを前記音波に乗せ、事前定義された範囲内にある第２のモバイルデバイスに前記音波を送信する前に、さらに、前記方法が、
前記第１のモバイルデバイスによって、事前定義されたパスワードに従って、前記変調された認証データを暗号化することを含む、
請求項１に記載の方法。
【請求項５】
前記音波が、周波数が２５ｋＨｚ以上の超音波である、
請求項１に記載の方法。
【請求項６】
データ伝送装置であって、
送信すべき認証データを取得するように構成された取得モジュールと、
前記認証データに対してプロトコルカプセル化、符号化および変調を実行するように構成された変調モジュールと、それによって、変調された認証データを取得し、
前記変調された認証データを音波に乗せ、事前定義された範囲内にある第２のモバイルデバイスに前記音波を送信するように構成された送信モジュールと、それによって、前記第２のモバイルデバイスは、前記変調された認証データに対する復調、復号化およびプロトコル処理の実行に成功した後、認証成功メッセージを第１のモバイルデバイスに返し、
前記第２のモバイルデバイスから返された前記認証成功メッセージを受信するように構成された、受信モジュールと、を備え、
前記取得モジュールがさらに、送信すべきデータを取得するように構成され、
前記変調モジュールがさらに、前記送信すべきデータに対してプロトコルカプセル化、符号化および変調を実行するように構成され、それによって、送信すべき変調データを取得し、
前記送信モジュールがさらに、前記送信すべき変調データを音波に乗せ、認証に成功した前記第２のモバイルデバイスに前記音波を送信するように構成される、
装置。
【請求項７】
前記認証成功メッセージが、前記音波の受信パワーを担持し、
前記装置がさらに、第１の決定モジュールおよび第１の調整モジュールを備え、前記取得モジュールがさらに、前記送信モジュールが前記送信すべき変調データを前記音波に乗せ、認証に成功した前記第２のモバイルデバイスに前記音波を送信する前に、前記音波の送信パワーを取得するように構成され、
前記第１の決定モジュールが、前記音波の前記受信パワーと前記送信パワーに従って前記第１のモバイルデバイスと前記第２のモバイルデバイスの間の距離を決定するように構成され、
前記第１の調整モジュールが、前記距離に応じて前記音波の前記送信パワーを調整するように構成される、
請求項６に記載の装置。
【請求項８】
前記認証成功メッセージが、前記第２のモバイルデバイスの位置情報を担持し、
前記装置がさらに、第２の決定モジュールおよび第２の調整モジュールを備え、
前記取得モジュールがさらに、前記送信モジュールが前記送信すべき変調データを前記音波に乗せ、認証に成功した前記第２のモバイルデバイスに前記音波を送信する前に、前記第１のモバイルデバイスの位置情報を取得するように構成され、
前記第２の決定モジュールが、前記第１のモバイルデバイスの前記位置情報および前記第２のモバイルデバイスの前記位置情報に従って、前記第１のモバイルデバイスと前記第２のモバイルデバイスの間の距離と、前記第１のモバイルデバイスに対する前記第２のモバイルデバイスの方向を決定するように構成され、
前記第２の調整モジュールが、前記距離および前記方向に応じて、前記音波の送信パワーおよび送信方向を調整するように構成される、
請求項６に記載の装置。
【請求項９】
暗号化モジュールをさらに備え、
前記暗号化モジュールが、前記送信モジュールが前記変調された認証データを前記音波に乗せ、事前定義された範囲内にある前記第２のモバイルデバイスに前記音波を送信する前に、事前定義されたパスワードに従って、前記変調された認証データを暗号化するように構成される、
請求項６に記載の装置。
【請求項１０】
前記音波が、周波数が２５ｋＨｚ以上の超音波である、
請求項６に記載の装置。
【国際調査報告】
2018533230.tif 000007
2018533230.tif 000008
2018533230.tif 000009
2018533230.tif 000010